(57)【要約】【課題】光ピックアップを光ディスクの径方向に移動させるための両サイドの主ガイド軸と副ガイド軸をシャーシに取り付けた際に発生するたわみを軽減できるディスク装置構造を提供する。【解決手段】主ガイド軸４及び副ガイド軸６を光ディスクの記録面に垂直な方向に付勢する軸押圧ばね５を、コイル部とその両端から延出された腕部を有する捻りコイルばねで構成し、コイル部が密着しないように巻回する。調整ねじ７の先端をコイル部を形成する線材部５１ａ及び線材部５２ａの隙間に調整ねじ７の先端を侵入させて主ガイド軸４又は副ガイド軸６に当接させる。これにより、支点となる調整ねじ７の先端と、荷重点となるコイル部５ａを構成する線材部５３ａとの当接部が光ディスクの記録面に垂直な方向から視た平面視で一致し、副ガイド軸６にたわみが生じない。【選択図】図４
2011113611.tif 000002
【特許請求の範囲】
【請求項１】
回転駆動される光ディスクに光を照射し、その反射光を電気信号に変換することにより光ディスクに記録されている情報を読み取る光ピックアップと、前記光ピックアップを光ディスクの径方向に駆動する光ピックアップ駆動手段と、前記光ピックアップ駆動手段によって駆動される光ピックアップを光ディスクの径方向にガイドするガイド軸と、前記光ピックアップ、光ピックアップ駆動手段及びガイド軸が搭載されるシャーシと、前記ガイド軸を前記シャーシの方向に付勢する付勢手段と、前記シャーシに螺入されて、先端が前記付勢手段によって付勢されているガイド軸と当接し、該ガイド軸を位置決めする調整ねじを備えた光ディスク駆動装置において、
前記付勢手段は、コイル部とその両端から延出された腕部を有する捻りコイルばねであって、前記コイル部が密着しないように巻回されていることを特徴とする光ディスク駆動装置。
【請求項２】
前記コイル部の巻回ピッチは、前記調整ねじの先端径とコイル部の線径を加えた値よりも大きいことを特徴とする請求項１に記載の光ディスク駆動装置。
【請求項３】
前記コイル部は、前記ガイド軸を隔てて調整ねじと該ガイド軸との当接部の反対側で該ガイド軸と当接し、該ガイド軸を該調整ねじの方向に付勢することを特徴とする請求項２に記載の光ディスク駆動装置。
【請求項４】
請求項１乃至請求項３に記載の光ディスク駆動装置に用いられる光ピックアップ高さ調整機構。
【発明の詳細な説明】
【技術分野】
【０００１】
本発明は光ディスク駆動装置及びそれに用いられる光ピックアップ高さ調整機構に関するものである。
【背景技術】
【０００２】
図６及び図７は、従来の光ディスク駆動装置の主要部の構成を示す。光ディスク駆動装置は、ディスクモータ２、スレッドモータ３、主ガイド軸４、軸押圧ばね１０５、副ガイド軸６、調整ねじ７、光ピックアップ８、シャーシ１０などで構成されている。光ピックアップ８は、そのＸ方向における両端近傍が主ガイド軸４及び副ガイド軸６に挿入され、スレッドモータ３によって駆動されて、光ディスクの径方向に移動される。軸押圧ばね１０５は、密着巻きされたコイル部１０５ａ、腕部１０５ｂ及び腕部１０５ｃからなる捻りコイルばねである。密着巻きされたコイル部１０５ａが主ガイド軸４及び副ガイド軸６の各々両端付近に挿入され、腕部１０５ｃがシャーシ１０に設けられた穴１０ｎ、穴１０ｐ、穴１０ｑ、穴１０ｒに挿入され、もう一端の腕部１０５ｂがシャーシ１０に設けられたフック１０ｆ、フック１０ｇ、フック１０ｋ、フック１０ｍに各々引っかけられて、軸押圧ばね１０５はシャーシ１０に取り付けられている。
【０００３】
軸押圧ばね１０５の付勢力によって、主ガイド軸４及び副ガイド軸６は、シャーシ１０に設けた各々のガイド１０ｄ、ガイド１０ｅ、ガイド１０ｈ、ガイド１０ｊに必要な任意の荷重で押し付けられ、図中Ｘ方向に位置決めされる。また、主ガイド軸４及び副ガイド軸６は、主ガイド軸４及び副ガイド軸６を受けている各々の調整ねじ７に必要な任意の荷重で押し付けられて図中Ｚ方向（高さ方向）に位置決めされる。調整ねじ７を回転させることにより、調整ねじ７のシャーシ１０からの突出量、すなわち主ガイド軸４及び副ガイド軸６の両端近傍の高さを変更して、光ピックアップ８の高さ及びチルト（傾き）を調整する。
【０００４】
しかしながら、図８及び図９に示すように、軸押圧ばね１０５に用いられる従来の捻りコイルばねは、コイル部１０５ａが密着巻きされていることから軸押圧ばね１０５の真下付近に調整ねじ７を配置することができず、軸押圧ばね１０５の内側又は外側に調整ねじ７をずらして配置せざるを得なかった。このため主ガイド軸４及び副ガイド軸６と各々当接される調整ねじ７の先端（支点）から図中Ｙ軸方向（主ガイド軸４及び副ガイド軸６の軸方向）に離れた荷重点で軸押圧ばね１０５によって付勢されるため、主ガイド軸４及び副ガイド軸６にたわみが生ずる。この主ガイド軸４及び副ガイド軸６のたわみによって、光ピックアップ８が最内周から最外周に移動する際に光ピックアップ８の高さ及びチルトが変動し、光ピックアップ８の信号読み取り精度にバラツキが生じ易かった。また主ガイド軸４及び副ガイド軸６がたわむことにより、光ピックアップ８を移動させる際のスレッドモータ３にかかる負荷が大きかった。
【０００５】
なお、上記の従来技術とは別の技術として、特許文献１には、ダブルトーションばねを用いた構造が示されている。この構造においては、シャフト（ガイド軸）に交差するようにダブルトーションばねを配置する必要があり、装置の小型化が困難となる。また、特許文献２には、調整ねじの先端が捻りコイルばねに当接する構造が示されている。この構造においては、捻りコイルばねとシャフトとの間に生ずる隙間によってシャフトを精度よく固定できない虞がある。また、特許文献３及び特許文献４には、シャフトを挟んで対向位置にコイルばねと調整ネジを配置する構造が示されている。この構造においては、シャフトの上方にコイルばねを配置する必要があり、装置の小型化が困難となる。また、特許文献５には、シャフトの端部にホルダを備えた構造が示されている。この構造においては、シャフトとホルダとの間に生ずる隙間によってシャフトを精度よく固定できない虞がある。
【先行技術文献】
【特許文献】
【０００６】
【特許文献１】特開平１１−３０６５４７号公報
【特許文献２】特開２００８−２８２４４３号公報
【特許文献３】特開２００８−２１０４７８号公報
【特許文献４】特開２００４−３５５７７１号公報
【特許文献５】特開２００８−０９７６８６号公報
【発明の概要】
【発明が解決しようとする課題】
【０００７】
本発明は、上記課題を解決するためになされたものであり、小型化を図りつつ、光ピックアップをガイドするためのガイド軸に発生するたわみを軽減できるディスク装置構造を提供することを目的とする。
【課題を解決するための手段】
【０００８】
上記目的を達成するために請求項１の発明は、回転駆動される光ディスクに光を照射し、その反射光を電気信号に変換することにより光ディスクに記録されている情報を読み取る光ピックアップと、前記光ピックアップを光ディスクの径方向に駆動する光ピックアップ駆動手段と、前記光ピックアップ駆動手段によって駆動される光ピックアップを光ディスクの径方向にガイドするガイド軸と、前記光ピックアップ、光ピックアップ駆動手段及びガイド軸が搭載されるシャーシと、前記ガイド軸を前記シャーシの方向に付勢する付勢手段と、前記シャーシに螺入されて、先端が前記付勢手段によって付勢されているガイド軸と当接し、該ガイド軸を位置決めする調整ねじを備えた光ディスク駆動装置において、前記付勢手段は、コイル部とその両端から延出された腕部を有する捻りコイルばねであって、前記コイル部が密着しないように巻回されていることを特徴とする。
【０００９】
請求項２の発明は、請求項１に記載の光ディスク駆動装置において、前記コイル部の巻回ピッチは、前記調整ねじの先端径とコイル部の線径を加えた値よりも大きいことを特徴とする。
【００１０】
請求項３の発明は、請求項２に記載の光ディスク駆動装置において、前記コイル部は、前記ガイド軸を隔てて調整ねじと該ガイド軸との当接部の反対側で該ガイド軸と当接し、該ガイド軸を該調整ねじの方向に付勢することを特徴とする。
【００１１】
請求項４の発明は、請求項１乃至請求項３に記載の光ディスク駆動装置に用いられる光ピックアップ高さ調整機構である。
【発明の効果】
【００１２】
請求項１の発明によれば、付勢手段としてコイル部が密着しないように巻回されている捻りコイルばねを適用することにより、コイル部を形成する線材部の隙間に調整ねじの先端を侵入させてガイド軸を位置決めできるようになる。これにより、小型化を図りつつ、ガイド軸のたわみを低減し、光ピックアップによる信号読み取り精度を向上させることが可能になる。また、ガイド軸のたわみを低減することにより、光ピックアップ駆動手段にかかる負荷を軽減できる。
【００１３】
請求項２の発明によれば、コイル部の巻回ピッチは、調整ねじの先端径とコイル部の線径を加えた値よりも大きいため、容易に調整ねじをシャーシに螺入できるようになり、光ディスク駆動装置の生産性が高められる。
【００１４】
請求項３の発明によれば、コイル部は、ガイド軸を隔てて調整ねじとガイド軸との当接部の反対側で、ガイド軸と当接し、ガイド軸を該調整ねじの方向に付勢するので、より一層ガイド軸のたわみを低減することが可能となる。
【００１５】
請求項４の発明によれば、請求項１乃至請求項３に記載の光ディスク駆動装置を容易に製造できるようになる。
【図面の簡単な説明】
【００１６】
【図１】本発明の一実施形態による光ディスク駆動装置の主要部の構造を示す斜視図。
【図２】同装置を光ディスクに垂直な方向から視た平面図。
【図３】図２におけるＡ−Ａ線断面図。
【図４】図２におけるＢ−Ｂ線断面図。
【図５】同装置に適用される軸押圧ばねの斜視図。
【図６】従来の光ディスク駆動装置の主要部の構造を示す斜視図。
【図７】同装置を光ディスクに垂直な方向から視た平面図。
【図８】図７におけるＡ−Ａ線断面図。
【図９】図７におけるＢ−Ｂ線断面図。
【発明を実施するための形態】
【００１７】
本発明の一実施形態による光ディスク駆動装置について図面を参照して説明する。図１及び図２は光ディスク駆動装置の主要部として特に光ピックアップの高さ調整機構の構成を示している。光ディスク駆動装置は、ディスクモータ２、スレッドモータ（光ピックアップ駆動手段）３、主ガイド軸４、軸押圧ばね５、副ガイド軸６、調整ねじ７、光ピックアップ８、シャーシ１０などによって構成されている。ディスクモータ２は、装填された光ディスクを回転駆動する。スレッドモータ３は、光ピックアップ８を光ディスクの径方向に駆動する。スレッドモータ３の出力軸には、光ピックアップ８を駆動するための溝が螺旋状に形成されている。
【００１８】
主ガイド軸４及び副ガイド軸６は、光ディスクの径方向に互いに平行に配置され、光ピックアップ８をガイドする。軸押圧ばね５は、主ガイド軸４及び副ガイド軸６の両端近傍に挿入され、主ガイド軸４及び副ガイド軸６を光ディスクの記録面に略垂直な方向（シャーシ１０の方向）に付勢する。調整ねじ７は、シャーシ１０に螺入され、その先端が主ガイド軸４及び副ガイド軸６に当接される。調整ねじ７の先端のシャーシ１０からの突出量を調整することにより、主ガイド軸４及び副ガイド軸６の高さが調整される。光ピックアップ８は、光を光ディスクの記録面に照射し、その反射光を電気信号に変換することにより、光ディスクに記録されている情報を読み取る。光ピックアップ８には、主ガイド軸４が挿入される円筒孔８ａと、副ガイド軸６が挿入されるＵ字孔８ｂを有している。
【００１９】
シャーシ１０には、主ガイド軸４を位置決めするためのガイド１０ｄ及びガイド１０ｅが一体的に設けられており、ガイド１０ｄ及びガイド１０ｅには軸押圧ばね５を引っかけて固定するためのフック１０ｆとフック１０ｇが各々一体的に設けられている。同様に、シャーシ１０には、副ガイド軸６を位置決めするためのガイド１０ｈ及びガイド１０ｊが一体的に設けられており、ガイド１０ｈ及びガイド１０ｊには軸押圧ばね５の腕部５ｂを引っかけて固定するためのフック１０ｋとフック１０ｍが各々一体的に設けられている。また、シャーシ１０には、各々軸押圧ばね５の腕部５ｃを挿入し係合するための穴１０ｎ、穴１０ｐ、穴１０ｑ、穴１０ｒが各々設けられている。また、シャーシ１０には、主ガイド軸４及び副ガイド軸６の高さを調整するための調整ねじ７が螺入される穴が設けられ、その内側面には調整ねじ（雄ねじ）７に対応する雌ねじが形成されている。
【００２０】
主ガイド軸４は、シャーシ１０に設けられたガイド１０ｄ及びガイド１０ｅの側面に当接されてＸ方向に位置決めされる。主ガイド軸４の両端近傍には軸押圧ばね５が挿入されている。主ガイド軸４に挿入される軸押圧ばね５は、コイル部５ａが主ガイド軸４の両端近傍に挿入され、腕部５ｃがシャーシ１０に設けられている穴１０ｎ、穴１０ｐに挿入され、腕部５ｂがガイド１０ｄ、ガイド１０ｅに設けられているフック１０ｆ、フック１０ｇに引っかけられて固定されている。
【００２１】
一方、副ガイド軸６は、シャーシ１０に設けられたガイド１０ｈ及びガイド１０ｊの側面に当接されてＸ方向に位置決めされている。副ガイド軸６の両端近傍にも軸押圧ばね５が挿入されている。また、副ガイド軸６に挿入される軸押圧ばね５は、コイル部５ａが副ガイド軸６の両端近傍に挿入され、腕部５ｃがシャーシ１０に設けられている穴１０ｑ、穴１０ｒに挿入され、腕部５ｂがガイド１０ｈ、ガイド１０ｊに設けられているフック１０ｋ、フック１０ｍに引っかけられて固定されている。
【００２２】
図３及び図４は、副ガイド軸６の一端近傍の構造を示している。また、図５は、軸押圧ばね５の構造を示している。なお、副ガイド軸６の他端近傍の構造、及び主ガイド軸４の両端近傍の構造も図３及び図４に示したものと同等であるため、その説明を省略する。軸押圧ばね５は、副ガイド軸６の一端部に挿入されるコイル部５ａと、コイル部５ａの一端から延出され、ガイド１０ｊに設けられているフック１０ｍに引っかけられる（第１）腕部５ｂと、コイル部５ａの他端から延出され、シャーシ１０に設けられている穴１０ｒに挿入される（第２）腕部５ｃを有している。軸押圧ばね５のコイル部５ａが副ガイド軸６の一端近傍に挿入された状態で、腕部５ｃがシャーシ１０の穴１０ｒに挿入され、腕部５ｂがガイド１０ｊのフック１０ｍに引っかけられると、軸押圧ばね５は、副ガイド軸６を図４中矢印Ｗ方向に付勢する。軸押圧ばね５によって付勢された副ガイド軸６は、ガイド１０ｊの側面及び調整ねじ７の先端と当接してＸ方向及びＺ方向に位置決めされる。軸押圧ばね５の付勢力は、副ガイド軸６の位置決めに必要な任意の荷重を発生できるように設定されている。
【００２３】
既に述べたように、光ピックアップ８の高さ及びチルトの調整は、主ガイド軸４及び副ガイド軸６の両端近傍に配設されている調整ねじ７を回転させて、シャーシ１０からの調整ねじ７の突き出し量を変更することによりなされる。例えば、調整ねじ７を締め込むと、シャーシ１０からの調整ねじ７の突き出し量が増加し、調整ねじ７の先端と当接される主ガイド軸４又は副ガイド軸６の端部がシャーシ１０に対して高く調整される。一方、調整ねじ７を緩めると、軸押圧ばね５の付勢力によって、シャーシ１０からの調整ねじ７の突き出し量が減少し、調整ねじ７の先端と当接される主ガイド軸４又は副ガイド軸６の端部がシャーシ１０に対して低く調整される。また、シャーシ１０のガイド１０ｈ、１０ｊの位置や軸押圧ばね５のコイル５ａの巻回数、腕５ｂ、５ｃの位置等は、調整ねじ７の先端がコイル部５ａの線材に当接しないような位置になるように設定されていることはいうまでもない。
【００２４】
図３及び図５に示すように本実施形態の軸押圧ばね５のコイル部５ａは、従来技術における密着巻きではなく、所定のピッチ（間隔）Ｐで巻回されている。ここでいう所定のピッチとは、調整ねじ７の先端が侵入できる程度の間隔である。より具体的には、コイル部５ａの巻回ピッチＰは、調整ねじ７の先端径と軸押圧ばね５の線径を加えた値よりも大きくなるように設定されている。このようにコイル部５ａの諸元が設定され、穴１０ｒ、フック１０ｍの位置が適宜設定されることにより、調整ねじ７の先端は、コイル部５ａを構成する線材部５１ａ、５２ａの隙間に容易に侵入して、副ガイド軸６に当接される。また、副ガイド軸６を隔てて調整ねじ７の反対側には、コイル部５ａを構成する線材部５３ａが位置される。従って、支点となる副ガイド軸６に当接される調整ねじ７の先端との当接部と、荷重点となるコイル部５ａを構成する線材部５３ａとの当接部が光ディスクの記録面に垂直な方向から視た平面視で一致し、軸押圧ばね５は、線材部５３ａを介して副ガイド軸６を調整ねじ７の方向に付勢するため、副ガイド軸６にたわみが生じない。なお、軸押圧ばね５の線形や巻回数は、必要な付勢力を得られるように適宜設定されている。
【００２５】
以上のように、本実施形態の光ディスク駆動装置によれば、軸押圧ばね５としてコイル部５ａが密着しないように巻回されている捻りコイルばねを適用することにより、コイル部５ａを形成する線材部５１ａ及び線材部５２ａの隙間に調整ねじ７の先端を侵入させて主ガイド軸４、副ガイド軸６を位置決めできるようになる。これにより、小型化を図りつつ、主ガイド軸４、副ガイド軸６のたわみを低減し、光ピックアップ８による信号読み取り精度を向上させることが可能になる。また、主ガイド軸４、副ガイド軸６のたわみを低減することにより、スレッドモータ３にかかる負荷を軽減できる。
【００２６】
また、コイル部５ａの巻回ピッチＰは、調整ねじ７の先端径とコイル部５ａの線径を加えた値よりも大きいため、容易に調整ねじ７をシャーシ１０に螺入できるようになり、光ディスク駆動装置の生産性が高められる。また、コイル部５ａは、主ガイド軸４、副ガイド軸６を隔てて調整ねじ７と主ガイド軸４、副ガイド軸６との当接部の反対側で、主ガイド軸４、副ガイド軸６と当接し、主ガイド軸４、副ガイド軸６を調整ねじ７の方向に付勢するので、より一層主ガイド軸４、副ガイド軸６のたわみを低減することが可能となる。
【００２７】
なお、本発明は上記実施形態の構成に限られることなく、少なくともコイル部５ａを形成する線材部５１ａ及び線材部５２ａの隙間に調整ねじ７の先端を侵入可能なように、軸押圧ばね５としてコイル部５ａが密着して巻回されていない捻りコイルばねが適用されていればよい。また、本発明は種々の変形が可能であり、例えば、軸押圧ばね５の腕部５ｂ，５ｃの形状、穴１０ｎ、穴１０ｐ、穴１０ｑ、穴１０ｒ、フック１０ｆ、フック１０ｇ、フック１０ｋ、フック１０ｍの形状及び配置は、図示したものに限られることなく、適宜設定することができる。
【符号の説明】
【００２８】
３    スレッドモータ（光ピックアップ駆動手段）
４    主ガイド軸
５    軸押圧ばね
６    副ガイド軸
７    調整ねじ
８    光ピックアップ
１０    シャーシ
５ａ    コイル部
５ｂ，５ｃ    腕部
【図１】
2011113611.tif 000003
【図２】
2011113611.tif 000004
【図３】
2011113611.tif 000005
【図４】
2011113611.tif 000006
【図５】
2011113611.tif 000007
【図６】
2011113611.tif 000008
【図７】
2011113611.tif 000009
【図８】
2011113611.tif 000010
【図９】
2011113611.tif 000011